(57)【要約】【課題】本発明は、自由に角度を定位することができるワーク支持装置を提供することを目的とする。【解決手段】本発明のワーク支持装置は、電磁石及びスイッチを備え、前記電磁石は、前記回転平台に設置され、且つ前記第一回転軸と近接し、前記スイッチによって、外部電源と前記電磁石とは電気的に接続される或いは遮断され、前記スイッチによって、前記外部電源と前記電磁石とが電気的に接続された場合、前記電磁石は、前記第一接続板にくっついて、前記回転平台の回転を停止して定位させ、前記スイッチによって、前記外部電源と前記電磁石との間の電気的な接続が遮断された場合、前記回転平台は、外部の力によって、前記底座の底板に対して自由に回転することができる。【選択図】図１
2015024490.tif 000002
【特許請求の範囲】
【請求項１】
底座及び回転平台を備え、前記底座は、底板及び前記底板に設置された第一接続板を備え、前記第一接続板には、第一軸孔が設けられ、前記回転平台には、第一回転軸が設けられ、前記第一回転軸は、回転可能に前記第一軸孔に収容されて、前記回転平台が回転可能に前記底座に接続されている、ワーク支持装置において、
前記ワーク支持装置は、電磁石及びスイッチを備え、前記電磁石は、前記回転平台に設置され、且つ前記第一回転軸と近接し、前記スイッチによって、外部電源と前記電磁石とは電気的に接続される或いは遮断され、前記スイッチによって、前記外部電源と前記電磁石とが電気的に接続された場合、前記電磁石は、前記第一接続板に結合されて、前記回転平台の回転を停止して定位させ、前記スイッチによって、前記外部電源と前記電磁石との間の電気的な接続が遮断された場合、前記回転平台は、外部の力によって、前記底座の底板に対して自由に回転することを特徴とするワーク支持装置。
【請求項２】
前記底座は、前記底板から突出され第二接続板を備え、前記第二接続板は、前記第一接続板と平行に、且つ間隙をあけて設置され、前記第二接続板には、前記第一軸孔の中心軸線と同一線上にある中心軸線を有する第二軸孔が設けられ、前記回転平台は、前記第一接続板と前記第二接続板との間に位置し、更に第二回転軸を備え、前記第二回転軸は、前記第二軸孔に回転可能に設置されることを特徴とする請求項１に記載のワーク支持装置。
【請求項３】
前記回転平台における前記第一回転軸と近接する箇所には凹溝が設けられ、前記凹溝の開口は、前記第一接続板に向けられており、前記電磁石は、スライド可能に前記凹溝内に収容されることを特徴とする請求項１に記載のワーク支持装置。
【請求項４】
前記スイッチによって前記外部電源と前記電磁石とが電気的に接続された場合、前記電磁石は前記凹溝内にスライドして、前記電磁石の一方の端部は前記凹溝から突出し、且つ前記第一接続板に結合し、他方の端部は、前記凹溝内で前記回転平台が前記底座の底板に対する回転を制限することを特徴とする請求項３に記載のワーク支持装置。
【請求項５】
前記第一接続板は、磁性材料によって製造され、前記電磁石は、直流電源を給電する吸盤式電磁石であり、前記電磁石の一側は前記第一接続板に結合することを特徴とする請求項１に記載のワーク支持装置。
【発明の詳細な説明】
【技術分野】
【０００１】
本発明は、ワーク支持装置に関し、特に自由に角度を定位することができるワーク支持装置に関するものである。
【背景技術】
【０００２】
従来のプリント基板をテスト或いは加工する際は、前の加工工程が終わった後、プリント基板を一定の角度或いは１８０度回転させて、次の加工工程を行う。この際、回転平台を提供して、プリント基板を回転した場合、テスト効率或いは加工効率はさらに向上される。しかし、従来の回転平台は、機械式の定位部材によって、特定の角度にしか定位できず、また、部品数も多い。
【発明の概要】
【発明が解決しようとする課題】
【０００３】
以上の問題点に鑑みて、本発明は、自由に角度を定位することができるワーク支持装置を提供することを目的とする。
【課題を解決するための手段】
【０００４】
上記の課題を解決するために、本発明のワーク支持装置は、底座及び回転平台を備え、前記底座は、底板及び前記底板に設置された第一接続板を備え、前記第一接続板には、第一軸孔が設けられ、前記回転平台には、第一回転軸が設けられ、前記第一回転軸は、回転可能に前記第一軸孔に収容され、前記回転平台は回転可能に前記底座に接続され、前記ワーク支持装置は、電磁石及びスイッチを備え、前記電磁石は、前記回転平台に設置され、且つ前記第一回転軸と近接し、前記スイッチによって、外部電源と前記電磁石とは電気的に接続される或いは遮断され、前記スイッチによって、前記外部電源と前記電磁石とが電気的に接続された場合、前記電磁石は、前記第一接続板にくっついて、前記回転平台の回転を停止して定位させ、前記スイッチによって、前記外部電源と前記電磁石との間の電気的な接続が遮断された場合、前記回転平台は、外部の力によって、前記底座の底板に対して自由に回転することができる。
【発明の効果】
【０００５】
本発明のワーク支持装置は、ワークを予め設定した角度に回転させることができるため、電子製品を組み立てる際の効率を向上させる。
【図面の簡単な説明】
【０００６】
【図１】本発明に係るワーク支持装置の斜視図である。
【図２】図１に示したワーク支持装置の分解斜視図である。
【図３】図１に示したワーク支持装置の使用状態を示す図である。
【発明を実施するための形態】
【０００７】
以下、図面に基づいて、本発明に係るワーク支持装置について詳細に説明する。図１〜図２に示したように、ワーク支持装置１００は、底座１０、回転平台２０、電磁石３０及びスイッチ４０を備える。底座１０は、直方体の底板１１と、底板１１の一端から突出する第一接続板１２及び第二接続板１３とを備える。第一接続板１２と第二接続板１３とは、互いに平行に、且つ間隙をあけて設置されている。第一接続板１２は、磁性部材（例えば磁石）に結合することができる材料によって製造される。第一接続板１２には、第一軸孔１２０が設けられ、第二接続板１３には、第二軸孔１３０が設けられており、第一軸孔１２０の中心軸線は、第二軸孔１３０の中心軸線と同一直線上にある。
【０００８】
回転平台２０は、第一接続板１２と第二接続板１３との間に設置され、基板２１と、基板２１の両側から外側に向けて延在する第一回転軸２２及び第二回転軸２３とを備える。基板２１は、ワーク（例えば、加工待ちのプリント基板及び組み立て待ちの電子製品等）を支持する。また、基板２１には、通溝２４が設けられている。第一回転軸２２及び第二回転軸２３は、回転可能に底座１０の第一軸孔１２０及び第二軸孔１３０にそれぞれ収容される。これにより、回転平台２０は回転可能に底座１０に接続される。回転平台２０における第一回転軸２２に近接する箇所には、凹溝２５が設けられている。この凹溝２５の開口は、第一接続板１２に向けられている。他の実施形態において、第二回転軸２３及び第二軸孔１３０は省略してもよい。
【０００９】
電磁石３０は、回転平台２０の凹溝２５内に固定され、ケーブルを介して、スイッチ４０と電気的に接続される。スイッチ４０は、外部の電源（図示せず）と接続されており、外部の電源と電磁石３０とを電気的に接続する或いは遮断することに用いられる。スイッチ４０は、底座１０と離れている基板２１の一側に固定される。本実施形態において、第一接続板１２は、磁性材料（例えば、低炭素鋼、ケイ素鋼等）によって製造されており、電磁石３０は、直流電源を給電する吸盤式電磁石であり、電磁石３０の一側と第一接続板１２とは結合される。
【００１０】
スイッチ４０によって、外部電源と電磁石３０との間の電気的な接続が遮断された場合、回転平台２０は、外部の力によって、底座１０の底板１１に対して自由に回転することができる。スイッチ４０によって、外部電源と電磁石３０とが電気的に接続された場合、電磁石３０は、第一接続板１２に結合されて回転平台２０の回転を停止させて定位させる。
【００１１】
図３に示したように、ワーク支持装置１００を使用する際、回転平台２０に設置されたスイッチ４０の一側を握り、且つスイッチ４０を押すと、外部電源と電磁石３０との間の電気的な接続が遮断されて、回転平台２０を所定の位置まで回転させることができ、通溝２４によって、回転平台２０に設置されたワークの背部を加工することができる。スイッチ４０を押すのをやめると、外部電源と電磁石３０とは電気的に接続されて、電磁石３０は第一接続板１２に結合され、回転平台２０を定位させる。他の実施形態において、電磁石３０は、スライド可能に凹溝２５内に設置される。スイッチ４０によって外部電源と電磁石３０とが電気的に接続された場合、電磁石３０は凹溝２５内をスライドして、電磁石３０の一方の端部は凹溝２５から突出し、且つ第一接続板１２に結合され、他方の端部は、凹溝２５内で回転平台２０の底座１０の底板１１に対する回転を制限する。
【符号の説明】
【００１２】
１００  ワーク支持装置
１０  底座
１１  底板
１２  第一接続板
１３  第二接続板
２０  回転平台
２１  基板
２２  第一回転軸
２３  第二回転軸
２４  通溝
２５  凹溝
３０  電磁石
４０  スイッチ
１２０  第一軸孔
１３０  第二軸孔
【図１】
2015024490.tif 000003
【図２】
2015024490.tif 000004
【図３】
2015024490.tif 000005